(57)【要約】【課題】コネクタが傾いて嵌合されるのを防止する。【解決手段】コネクタは、互いに嵌合可能な第１、第２ハウジング１０、５０と、第１ハウジング１０に対し左右方向の平面に沿って回動可能に配置される一枚のカム板９１を有する一枚板状のレバー９０とを備える。第１ハウジング１０は、深さ方向を左右方向に向けた左右アリ溝部２３と、深さ方向を左右方向と交差する上下方向に向けた上下方向アリ溝部２４とを有する。第２ハウジング５０は、突出方向を左右方向に向けて左右アリ溝部２３の内側にアリ嵌合する左右アリ部５８と、突出方向を上下方向に向けて上下方向アリ溝部２４の内側にアリ嵌合する上下方向アリ部５９とを有する。【選択図】図１
2017126506.tif 000002
【特許請求の範囲】
【請求項１】
第１ハウジングと、
前記第１ハウジングに嵌合可能な第２ハウジングと、
前記第１、第２ハウジングのうちの一方に対し左右方向の平面に沿って回動可能に配置される一枚のカム板を有し、前記カム板の回動によって発揮されるカム作用によって、前記第１、第２ハウジングを正規の嵌合状態に至らす一枚板状のレバーと、を備え、
前記第１ハウジングは、深さ方向を左右方向に向けた左右アリ溝部と、深さ方向を左右方向と交差する上下方向に向けた上下方向アリ溝部とを有し、
前記第２ハウジングは、突出方向を左右方向に向けて前記左右アリ溝部の内側にアリ嵌合する左右アリ部と、突出方向を上下方向に向けて前記上下方向アリ溝部の内側にアリ嵌合する上下方向アリ部とを有していることを特徴とするコネクタ。
【請求項２】
前記左右アリ溝部及び前記上下方向アリ溝部は、前記第１ハウジングにおいて前記レバーが嵌合位置へ向けて回動される回動方向後方側の端部に設けられ、
前記左右アリ部及び前記上下方向アリ部は、前記第２ハウジングにおいて前記レバーが嵌合位置へ向けて回動される回動方向後方側の端部に設けられている請求項１記載のコネクタ。
【請求項３】
前記左右アリ溝部及び前記上下方向アリ溝部は、前記第１ハウジングにおいて前記レバーが設置される側とは反対側の端部に設けられ、
前記左右アリ部及び前記上下方向アリ部は、前記第２ハウジングにおいて前記レバーが設置される側とは反対側の端部に設けられている請求項１又は２記載のコネクタ。
【発明の詳細な説明】
【技術分野】
【０００１】
本発明は、コネクタに関する。
【背景技術】
【０００２】
特許文献１に開示されたコネクタは、互いに嵌合可能な雌雄一対のハウジングと、雌ハウジングに対し左右方向の平面に沿って回動可能に配置される板状のレバーとを備えている。レバーは、雌ハウジングの上下端部に対をなして設けられ、雄ハウジングの上下一対のカムフォロアピンと係合可能なカム溝を有している。また、雌ハウジングは、複数のリブを有し、雄ハウジングは、各リブが進入する複数のガイド溝を有している。
【０００３】
カムフォロアピンがカム溝に係合され、その状態で、レバーが回動されることにより、カムフォロアピンがカム溝の溝面を摺動してカム作用を発揮し、両ハウジングが互いに引き寄せられて嵌合される。このとき、リブがガイド溝に進入することで、両ハウジングの芯ずれを吸収することが可能となっている。
【先行技術文献】
【特許文献】
【０００４】
【特許文献１】特開２００３−１５１６８４号公報
【発明の概要】
【発明が解決しようとする課題】
【０００５】
ところで、仮に、レバーが雌ハウジングの上端部のみに幅方向の中心からずれた位置に設けられるものであるとすると、カムフォロアピンがカム溝の溝面を摺動する部位が両ハウジングの嵌合中心から位置ずれしてしまうという事情がある。このため、両ハウジング間の嵌合隙間の範囲で、雌ハウジングが雄ハウジングに対して左右方向及び上下方向に傾いた姿勢をとりながら嵌合が進行する可能性がある。その結果、両ハウジングに配置された雌雄の端子金具が不正に接続されるおそれがある。
【０００６】
本発明は上記のような事情に基づいて完成されたものであって、コネクタが傾いて嵌合されるのを防止することを目的とする。
【課題を解決するための手段】
【０００７】
本発明は、第１ハウジングと、前記第１ハウジングに嵌合可能な第２ハウジングと、前記第１、第２ハウジングのうちの一方に対し左右方向の平面に沿って回動可能に配置される一枚のカム板を有し、前記カム板の回動によって発揮されるカム作用によって、前記第１、第２ハウジングを正規の嵌合状態に至らす一枚板状のレバーと、を備え、前記第１ハウジングは、深さ方向を左右方向に向けた左右アリ溝部と、深さ方向を左右方向と交差する上下方向に向けた上下方向アリ溝部とを有し、前記第２ハウジングは、突出方向を左右方向に向けて前記左右アリ溝部の内側にアリ嵌合する左右アリ部と、突出方向を上下方向に向けて前記上下方向アリ溝部の内側にアリ嵌合する上下方向アリ部とを有しているところに特徴を有する。
【発明の効果】
【０００８】
レバーが一枚板状であると、レバーの回動過程で、第１、第２ハウジングのうちの一方が他方に対して左右方向及び上下方向に傾いた状態になり易いという事情がある。しかるに、上記構成によれば、左右アリ溝部の内側に左右アリ部がアリ嵌合することで、左右方向の傾きが効果的に抑えられ、上下方向アリ溝部の内側に上下方向アリ部がアリ嵌合することで、上下方向の傾きが効果的に抑えられる。その結果、上下左右いずれの方向にも傾きにくくなり、コネクタが傾いて嵌合されるのを防止することができる。
【図面の簡単な説明】
【０００９】
【図１】本発明の実施例１において、コネクタの嵌合状態を第１ハウジングの前方から見た正面図である。
【図２】コネクタの嵌合状態を第１ハウジングの斜め前方から見た斜視図である。
【図３】第１ハウジングを斜め前方から見た斜視図である。
【図４】第１ハウジングの正面図である。
【図５】第２ハウジングを斜め後方から見た斜視図である。
【図６】第２ハウジングの正面図である。
【発明を実施するための形態】
【００１０】
本発明の好ましい実施形態を以下に示す。  
前記左右アリ溝部及び前記上下方向アリ溝部は、前記第１ハウジングにおいて前記レバーが嵌合位置へ向けて回動される回動方向後方側の端部に設けられ、前記左右アリ部及び前記上下方向アリ部は、前記第２ハウジングにおいて前記レバーが嵌合位置へ向けて回動される回動方向後方側の端部に設けられているとよい。第１、第２ハウジングにおいてレバーが嵌合位置へ向けて回動される回動方向後方側の端部は、その逆側の端部に比べ、遅れて嵌合される傾向にあり、嵌合の遅れが原因で左右方向の傾きを誘発するおそれがある。その点、上記構成とすることにより、嵌合の遅れと左右方向の傾きがアリ溝部とアリ部のアリ嵌合によって効果的に抑えられる。
【００１１】
前記左右アリ溝部及び前記上下方向アリ溝部は、前記第１ハウジングにおいて前記レバーが設置される側とは反対側の端部に設けられ、前記左右アリ部及び前記上下方向アリ部は、前記第２ハウジングにおいて前記レバーが設置される側とは反対側の端部に設けられているとよい。第１、第２ハウジングにおいてレバーが設置される側とは反対側の端部は、その逆側の端部に比べ、遅れて嵌合される傾向にあり、嵌合の遅れが原因で上下方向の傾きを誘発するおそれがある。その点、上記構成とすることにより、嵌合の遅れと上下方向の傾きがアリ溝部とアリ部のアリ嵌合によって効果的に抑えられる。
【００１２】
＜実施例１＞
以下、実施例１を図面に基づいて説明する。実施例１に係るコネクタは、第１ハウジング１０と、第１ハウジング１０に嵌合可能な第２ハウジング５０と、第１ハウジング１０に回動可能に配置されるレバー９０とを備えている。なお、以下の説明において、前後方向については、第１、第２ハウジング１０、５０が嵌合開始時に互いに向き合う側を前側とする。また、上下方向は、各図を基準とする。
【００１３】
第２ハウジング５０は合成樹脂製であって、図５及び図６に示すように、ブロック状のハウジング本体５１と、ハウジング本体５１の前端から前方に突出する筒状のフード部５２とを有している。ハウジング本体５１は、複数の第２キャビティ５３を有している。各第２キャビティ５３は、大径及び小径の複数種で構成されている。大径の各第２キャビティ５３Ａは、ハウジング本体５１の左右両側に配置され、内部に図示しない大型の雄端子金具が挿入される。小径の各第２キャビティ５３Ｂは、ハウジング本体５１の左右中央側に配置され、内部に図示しない小型の雄端子金具が挿入される。図示はしないが、雄端子金具は、電線の端部に接続され、前方に突出するタブを有している。
【００１４】
フード部５２の上面において左右中央からやや一側（図６の左側）に寄った位置で且つ前端寄りの位置には、カムフォロア５４が突出して設けられている。カムフォロア５４は、略円柱状をなし、レバー９０の後述するカム溝９３に係合される（図４を参照）。
【００１５】
第２ハウジング５０の下面において左右略中央で且つ後方位置には、フード部５２とハウジング本体５１とに跨って取付部５５が設けられている。取付部５５は、扁平箱状をなし、図示しない取付対象にスライドして弾性的に取り付けられるようになっている。
【００１６】
また、フード部５２の上面において左右一側（図６の左側）の端部には、リブ５６が突出して設けられている。リブ５６は、前後方向に延出する板片状をなし、上下方向の全高に亘って略一定の幅寸法（左右方向の板幅）で構成されている。
【００１７】
図６に示すように、フード部５２の外周面の４隅部は、正面視円弧状をなす外側湾曲面５７になっている。リブ５６は、４つの外側湾曲面５７のうち、左右一側の端部における上側の外側湾曲面５７Ａの上端に突設されている。
【００１８】
また、フード部５２の外周面には、突出方向を左右方向（正確には左右水平線に対して突出端側がやや下向きに傾斜する方向）に向けた左右アリ部５８と、突出方向を上下方向に向けた上下方向アリ部５９とが、設けられている。
【００１９】
上下方向アリ部５９は、フード部５２の外周下面において左右両側の端部寄りの位置（下側の外側湾曲面５７Ｂの近接位置）に対をなして突設され、根元から突出端側へ行くに従って次第に左右幅を拡大させて厚肉となる逆テーパ状（鳩尾状）の形態になっている。また、上下方向アリ部５９は、前後方向に同一の断面形状で細長く延出しており、前端がフード部５２の前端とほぼ同じ前後位置に配置され、後端がリブ５６の後端とほぼ同じ前後位置に配置されている。
【００２０】
左右アリ部５８は、フード部５２の外周下面のうち左右両側の端部における下側の外側湾曲面５７Ｂに対をなして突設され、図１に示すように、根元から突出端５８Ｃへ向かう途中にかけて次第に上下幅を縮小させたあと途中から突出端５８Ｃにかけて次第に上下幅を拡大させて厚肉となる逆テーパ状（鳩尾状）の形態になっている。より具体的には、左右アリ部５８は、下辺部分５８Ａが突出端５８Ｃ側へ向けて下り勾配で直線状に延出し、上辺部分５８Ｂの根元寄りの部分が凹曲面状に湾曲し、上辺部分５８Ｂの突出端寄りの部分が突出端５８Ｃに向けて上り勾配で直線状に延出し、突出端５８Ｃが上下方向にほぼ沿った形態になっている。左右アリ部５８の突出寸法は、上下方向アリ部５９の突出寸法よりも大きくなっている。また、左右アリ部５８は、前後方向に同一の断面形状で細長く延出しており、前後が上下方向アリ部５９の前後とほぼ同一位置に揃えられている。詳細は図示しないが、左右アリ部５８の前端外周と上下方向アリ部５９の前端外周はいずれも面取りされている。
【００２１】
続いて、第１ハウジング１０について説明する。第１ハウジング１０は合成樹脂製であって、図３及び図４に示すように、ブロック状の端子収容部１１と、端子収容部１１の外周を包囲する筒状の嵌合筒部１２と、嵌合筒部１２と端子収容部１１とをつなぐ径方向に沿った連結部１３とを有している。端子収容部１１と嵌合筒部１２との間で且つ連結部１３の前方の空間は、相手側の第２ハウジング５０のフード部５２が嵌合される嵌合空間１４になっている。
【００２２】
端子収容部１１は、各第２キャビティ５３と対応する位置に、複数の第１キャビティ１５を有している。各第１キャビティ１５は、大径及び小径の複数種で構成されている。大径の各第１キャビティ１５Ａは、端子収容部１１の左右両側に配置され、内部に大型の雌端子金具が挿入される。小径の各第１キャビティ１５Ｂは、端子収容部１１の左右中央側に配置され、内部に小型の雌端子金具が挿入される。図示はしないが、雌端子金具は、電線の端部に接続され、第１、第２ハウジング１０、５０の嵌合時に雄端子金具のタブが挿入して接続される箱型の接続部を有している。
【００２３】
嵌合筒部１２の上端部には、レバー９０を収容可能な収容凹部１６が設けられている。収容凹部１６は、左右方向に扁平な袋状をなし、後方に開放されている。収容凹部１６の前壁において左右中央からやや一側（図４の右側）に寄った位置には、カムフォロア５４を導入可能な導入口１７が開口して設けられている。また、収容凹部１６の前壁において左右一側の端部には、リブ５６を挿通可能な挿通口１８が開口して設けられている。
【００２４】
収容凹部１６の内上面及び内下面は、左右方向に略水平に配置され、レバー９０が摺動可能に回動する回動平面１９を構成している。収容凹部１６の内上面において左右中央からやや一側に寄った位置には、レバー９０の回動支点を構成する図示しない支軸が突出して設けられている。支軸は、カムフォロア５４よりも短寸の円柱状をなしている。
【００２５】
レバー９０は同じく合成樹脂製であって、図３に一部を示すように、平板状のカム板９１からなる一枚板状をなしている。カム板９１は、支軸を受ける図示しない軸受孔と、所定方向に延出して外周縁に開口するカム溝９３（図４を参照）と、外端部に設けられたロック部９４とを有している。ロック部９４は、撓み変形可能なロック本体９４Ａと、ロック本体９４Ａの後端部の外周を取り囲む枠状の操作部９４Ｂとを有している。
【００２６】
レバー９０の組み付けに際し、第１ハウジング１０の収容凹部１６に後方からカム板９１が板面を左右方向に沿わせながら挿入される。カム板９１が支軸と干渉することで収容凹部１６の上壁が弾性的に膨出させられ、その後、上壁の膨出状態が弾性的に解消され、支軸がカム板９１の軸受孔に嵌り込む。これにより、レバー９０が収容凹部１６に抜け止め状態で収容され、カム板９１が回動平面１９に沿って略水平に配置され、操作部９４Ｂが収容凹部１６の外側に露出して配置される。
【００２７】
ここで、レバー９０は、操作部９４Ｂが左右一側に位置する初期位置と操作部９４Ｂが左右他側に位置する嵌合位置との間を、支軸を中心に回動可能とされる。初期位置では、カム溝９３が導入口１７に臨み、第１、第２ハウジング１０、５０の嵌合開始に伴い、カムフォロア５４が導入口１７を通してカム溝９３の入り口に進入する。また、リブ５６が挿通口１８を通して収容凹部１６内に挿入され、レバー９０を初期位置に留め置くための仮係止状態がリブ５６によって解除され、レバー９０が嵌合位置へ向けて回動可能な状態となる。その状態で、操作部９４Ｂが摘まれ、カム板９１が嵌合位置へ向けて回動される。すると、カムフォロア５４がカム溝９３の溝面を摺動し、カム板９１と第２ハウジング５０との間にカム作用が発揮され、第１、第２ハウジング１０、５０が互いに引き寄せられ、第１、第２ハウジング１０、５０の嵌合動作が進行する。その後、レバー９０が嵌合位置に至るに伴い、カムフォロア５４がカム溝９３の奥端部に到達し、第１、第２ハウジング１０、５０が正規嵌合され、且つロック部９４のロック本体９４Ａが収容凹部１６の図示しないロック受部を弾性的に係止して、第１、第２ハウジング１０、５０が嵌合状態に保持される。
【００２８】
図４に示すように、嵌合筒部１２の内周面の４隅部は、外側湾曲面５７と対応して正面視円弧状をなす内側湾曲面２２になっている。挿通口１８は、４つの内側湾曲面２２のうち、左右一側の端部における上側の内側湾曲面２２Ａの上端に凹設されている。
【００２９】
また、嵌合筒部１２の内周面には、深さ方向を左右方向（正確には左右水平線に対し深さ方向の奥端側がやや下向きに傾斜する方向）に向けた左右アリ溝部２３と、深さ方向を上下方向に向けた上下方向アリ溝部２４とが、設けられている。
【００３０】
上下方向アリ溝部２４は、嵌合筒部１２の内周下面において左右両側の端部寄りの位置（下側の内側湾曲面２２Ｂの近接位置）に対をなして凹設され、深さ方向の開口側から奥端側へ行くに従って次第に左右幅を拡張させる逆テーパ状（鳩尾状）の形態になっている。また、上下方向アリ溝部２４は、前後方向に同一の断面形状で細長く延出しており、前端が嵌合筒部１２の前端とほぼ同じ前後位置に配置されている。嵌合筒部１２の外周面には、上下方向アリ溝部２４の背合わせ位置に、外側に膨出する膨出部２５が設けられている。膨出部２５によって上下方向アリ溝部２４の深さ寸法が確保されている。
【００３１】
左右アリ溝部２３は、嵌合筒部１２の内周下面のうち左右両側の端部における下側の内側湾曲面２２Ｂに対をなして凹設され、深さ方向の開口側から奥端２３Ｃへ向かう途中にかけて次第に上下幅を縮小させたあと途中から奥端２３Ｃにかけて次第に上下幅を拡張させる逆テーパ状（鳩尾状）の形態になっている。具体的には、図１に示すように、左右アリ溝部２３は、下辺部分２３Ａが深さ方向の奥端２３Ｃ側へ向けて下り勾配で直線状に延出し、上辺部分２３Ｂの開口寄りの部分が凹曲面状に湾曲し、上辺部分２３Ｂの奥端２３Ｃ寄りの部分が奥端２３Ｃに向けて上り勾配で直線状に延出し、奥端２３Ｃが上下方向にほぼ沿った形態になっている。
【００３２】
また、左右アリ溝部２３の深さ寸法は、上下方向アリ溝部２４の深さ寸法よりも大きくなっている。左右アリ溝部２３は、前後方向に同一の断面形状で細長く延出しており、前後が上下方向アリ溝部２４の前後とほぼ同一位置に配置されている。詳細は図示しないが、左右アリ溝部２３の前端内周と上下方向アリ溝部２４の前端内周はいずれも面取りされている。
【００３３】
次に、本実施例１の作用効果を説明する。  
第１、第２ハウジング１０、５０の嵌合開始時に、第２ハウジング５０のフード部５２が第１ハウジング１０の嵌合空間１４に浅く嵌合される。すると、第２ハウジング５０の上下方向アリ部５９が第１ハウジング１０の上下方向アリ溝部２４内に進入してアリ嵌合し、第２ハウジング５０の左右アリ部５８が第１ハウジング１０の左右アリ溝部２３内に進入してアリ嵌合する。
【００３４】
図１に示すように、上下方向アリ部５９が上下方向アリ溝部２４内にアリ嵌合することにより、上下方向アリ部５９の斜面が上下方向アリ溝部２４の斜面に上下方向で対向して当接可能な状態（実質的に当接する状態）になる。また、左右アリ部５８が左右アリ溝部２３内にアリ嵌合することにより、左右アリ部５８の斜面が左右アリ溝部２３の斜面に左右方向で対向して当接可能な状態（実質的に当接する状態）になる。
【００３５】
レバー９０が嵌合位置へ向けて回動されると、上記アリ嵌合に基づく当接領域が前後方向に次第に増大する。本実施例１の場合、レバー９０が一枚板状をなす片側レバーであって、第１ハウジング１０の上端部に偏在している。このため、レバー９０が嵌合位置へ向けて回動されると、レバー９０の回動方向前方側となる第１、第２ハウジング１０、５０の上端部で且つ左右他側の部分（図１の左側上端部分）に嵌合操作力が集中し、この部分で嵌合が早まる傾向にあり、第１、第２ハウジング１０、５０間の隙間の範囲で、第２ハウジング５０が第１ハウジング１０に対し左右方向及び上下方向に傾動するおそれがある。
【００３６】
しかるに本実施例１においては、上記の如く、左右アリ部５８が左右アリ溝部２３内にアリ嵌合するのに加え、上下方向アリ部５９が上下方向アリ溝部２４内にアリ嵌合することで、第１ハウジング１０が第２ハウジング５０に対して上下方向に傾動するのが効果的に抑えられる。また、上下方向アリ部５９が上下方向アリ溝部２４内にアリ嵌合するのに加え、左右アリ部５８が左右アリ溝部２３内にアリ嵌合することで、第１ハウジング１０が第２ハウジング５０に対して左右方向に傾動するのが効果的に抑えられる。その結果、第１、第２ハウジング１０、５０の傾き嵌合を防止することができる。
【００３７】
とくに、本実施例１においては、左右アリ溝部２３及び上下方向アリ溝部２４が第１ハウジング１０においてレバー９０が嵌合位置へ向けて回動される回動方向後方側の左右一側（図１の右側）の端部に設けられ、左右アリ部５８及び上下方向アリ部５９が第２ハウジング５０においてレバー９０が嵌合位置へ向けて回動される回動方向後方側の左右一側の端部に設けられているため、嵌合遅れが懸念される左右一側の端部における左右方向の傾きがよりいっそう効果的に抑えられる。
【００３８】
さらに、本実施例１においては、左右アリ溝部２３及び上下方向アリ溝部２４が第１ハウジング１０においてレバー９０が設置される側とは反対側となる下端部に設けられ、左右アリ部５８及び上下方向アリ部５９が第２ハウジング５０においてレバー９０が設置される側とは反対側となる下端部に設けられているため、嵌合遅れが懸念される下端部における上下方向の傾きがよりいっそう効果的に抑えられる。
【００３９】
＜他の実施例＞
以下、他の実施例を簡単に説明する。  
（１）レバーが第２ハウジングに配置されていてもよい。  
（２）レバーが第１ハウジング（又は第２ハウジング）の下端部に設けられていてもよい。この場合、左右アリ溝部及び上下方向アリ溝部は、第１ハウジングの上端部に設けられているのが好ましく、左右アリ部及び上下方向アリ部は、第２ハウジングの上端部に設けられているのが好ましい。  
（３）左右アリ溝部及び上下方向アリ溝部を有する第１ハウジングが雄型ハウジングであって、フード部の外周面に設けられ、左右アリ部及び上下方向アリ部を有する第２ハウジングが雌型ハウジングであって、嵌合筒部の内周面に設けられていてもよい。  
（４）左右アリ溝部及び上下方向アリ溝部は、第１ハウジングに１つだけ設けられるものであってもよく、また、第１ハウジングの下端部に加えて上端部に設けられていてもよい。同様に、左右アリ部及び上下方向アリ部は、第２ハウジングに１つだけ設けられるものであってもよく、また、第２ハウジングの下端部に加えて上端部に設けられていてもよい。
【符号の説明】
【００４０】
１０…第１ハウジング
２３…左右アリ溝部
２４…上下方向アリ溝部
５０…第２ハウジング
５８…左右アリ部
５９…上下方向アリ部
９０…レバー
９１…カム板
【図１】
2017126506.tif 000003
【図２】
2017126506.tif 000004
【図３】
2017126506.tif 000005
【図４】
2017126506.tif 000006
【図５】
2017126506.tif 000007
【図６】
2017126506.tif 000008